(57)【要約】【課題】書類等に記載されている情報をデータ化し、簡便に管理することを目的とする。【解決手段】入力装置を介して取得したユーザ操作情報に基づいて、表計算ソフトウェアのセルに関するデータの取得に係る定義情報を作成する定義情報作成手段と、定義情報作成手段において作成された定義情報に基づいて、データに係るテーブルを作成するテーブル作成手段と、定義情報作成手段において作成された定義情報に基づいて、セルに入力されたデータを取得するデータ取得手段と、データ取得手段において取得されたデータを、テーブル作成手段において作成されたテーブルに代入する代入手段と、を有することによって課題を解決する。【選択図】図２
2008102858.tif 000002
【特許請求の範囲】
【請求項１】
入力装置を介して取得したユーザ操作情報に基づいて、表計算ソフトウェアのセルに関するデータの取得に係る定義情報を作成する定義情報作成手段と、
前記定義情報作成手段において作成された定義情報に基づいて、前記データに係るテーブルを作成するテーブル作成手段と、
前記定義情報作成手段において作成された定義情報に基づいて、前記セルに入力されたデータを取得するデータ取得手段と、
前記データ取得手段において取得されたデータを、前記テーブル作成手段において作成されたテーブルに代入する代入手段と、
を有することを特徴とする情報処理装置。
【請求項２】
入力装置を介して取得したユーザ操作情報に基づいて、表計算ソフトウェアのセルに関するデータのコード情報化に係る定義情報を作成する定義情報作成手段と、
前記定義情報作成手段において作成された定義情報に基づいて、前記データに係るテーブルを作成するテーブル作成手段と、
前記セルに入力されたデータに係るコード情報を読み取り、データを出力するデータ出力手段と、
前記データ出力手段が出力したデータを、前記テーブル作成手段において作成されたテーブルに代入する代入手段と、
を有することを特徴とする情報処理装置。
【請求項３】
入力装置を介して取得したユーザ操作情報と、表計算ソフトウェアのフォームデータファイルと、に基づいて、データ入力画面に係る定義情報を作成する定義情報作成手段と、
前記定義情報作成手段において作成された定義情報に基づいて、前記データに係るテーブルを作成するテーブル作成手段と、
前記フォームデータファイルと、前記定義情報作成手段において作成された定義情報と、に基づいて、データ入力画面のフォームを作成するデータ入力画面フォーム作成手段と、
前記データ入力画面を介して入力されたデータに係るコード情報を読み取り、データを出力するデータ出力手段と、
前記データ出力手段が出力したデータを、前記テーブル作成手段において作成されたテーブルに代入する代入手段と、
を有することを特徴とする情報処理装置。
【請求項４】
コンピュータを、請求項１乃至３の何れか１項記載の情報処理装置の各手段として機能させるためのプログラム。
【発明の詳細な説明】
【技術分野】
【０００１】
本発明は、情報処理装置及びプログラムに関する。
【背景技術】
【０００２】
従来、提出された紙の書類等に記載されている情報をデータ化する場合、職員等が手動でデータ入力を行っていた。また、書類をデータで提出された場合は、そのデータをそのまま記録媒体や、パソコンのハードディスク等に保存していた。
【０００３】
【特許文献１】特開平０５−２９８４７９号公報
【発明の開示】
【発明が解決しようとする課題】
【０００４】
しかしながら、手動でデータ入力行う方法では、データ入力のために時間がかかったり、データ入力のための人件費がかかったりする問題があった。また、手動であるため、入力ミスが発生する可能性があった。また、入力ミスがないか等のチェックにも時間や、人件費がかかる問題があった。また、入力したデータを簡便に管理することができない問題もあった。
一方、データで書類が提出された場合でも、例えば、ファイル形式のデータをそのまま保存していたため、ファイルに記載されてある情報（データ）を検索しようと思った場合も簡単に行うことができなかった。つまり、データを簡便に管理することができない問題があった。
【０００５】
本発明はこのような問題点に鑑みなされたもので、書類等に記載されている情報をデータ化し、簡便に管理することを目的とする。
【課題を解決するための手段】
【０００６】
そこで、本発明は、入力装置を介して取得したユーザ操作情報に基づいて、表計算ソフトウェアのセルに関するデータの取得に係る定義情報を作成する定義情報作成手段と、前記定義情報作成手段において作成された定義情報に基づいて、前記データに係るテーブルを作成するテーブル作成手段と、前記定義情報作成手段において作成された定義情報に基づいて、前記セルに入力されたデータを取得するデータ取得手段と、前記データ取得手段において取得されたデータを、前記テーブル作成手段において作成されたテーブルに代入する代入手段と、を有することを特徴とする。
【０００７】
係る構成とすることにより、セルに関するデータの取得に係る定義情報を作成し、この定義情報に基づいて表計算ソフトウェアの指定されたセルに入力されたデータを取得し、定義情報に基づいて作成したテーブルに格納するので、書類等に記載されている情報をデータ化し、簡便に管理することができる。
【０００８】
また、本発明は、入力装置を介して取得したユーザ操作情報に基づいて、表計算ソフトウェアのセルに関するデータのコード情報化に係る定義情報を作成する定義情報作成手段と、前記定義情報作成手段において作成された定義情報に基づいて、前記データに係るテーブルを作成するテーブル作成手段と、前記セルに入力されたデータに係るコード情報を読み取り、データを出力するデータ出力手段と、前記データ出力手段が出力したデータを、前記テーブル作成手段において作成されたテーブルに代入する代入手段と、を有することを特徴とする。
【０００９】
係る構成とすることにより、セルに関するデータのコード情報化に係る定義情報を作成し、この定義情報に基づいてテーブルを作成し、読み取ったコード情報に係るデータを、作成したテーブルに代入するので、書類等に記載されている情報をデータ化し、簡便に管理することができる。
【００１０】
また、本発明は、入力装置を介して取得したユーザ操作情報と、表計算ソフトウェアのフォームデータファイルと、に基づいて、データ入力画面に係る定義情報を作成する定義情報作成手段と、前記定義情報作成手段において作成された定義情報に基づいて、前記データに係るテーブルを作成するテーブル作成手段と、前記フォームデータファイルと、前記定義情報作成手段において作成された定義情報と、に基づいて、データ入力画面のフォームを作成するデータ入力画面フォーム作成手段と、前記データ入力画面を介して入力されたデータに係るコード情報を読み取り、データを出力するデータ出力手段と、前記データ出力手段が出力したデータを、前記テーブル作成手段において作成されたテーブルに代入する代入手段と、を有することを特徴とする。
【００１１】
係る構成とすることにより、データ入力画面に係る定義情報を作成し、この定義情報に基づいてテーブルを作成し、定義情報や、表計算ソフトウェアのフォームデータファイルに基づいて作成したデータ入力画面を介して入力され、コード情報化されたデータを読み取り、作成したテーブルに代入するので、書類等に記載されている情報をデータ化し、簡便に管理することができる。
【００１２】
また、本発明は、プログラムとしてもよい。
【発明の効果】
【００１３】
本発明によれば、書類等に記載されている情報をデータ化し、簡便に管理することができる。
【発明を実施するための最良の形態】
【００１４】
以下、本発明の実施形態について図面に基づいて説明する。
【００１５】
＜実施形態１＞
図１は、行政側の情報処理装置１の一例のハードウェア構成図である。
図１に示されるように、情報処理装置１は、ハードウェア構成として、入力装置１１と、表示装置１２と、記録媒体ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤ（Ｈａｒｄ  Ｄｉｓｋ）１９と、を含む。
【００１６】
入力装置１１は、情報処理装置１の操作者（又はユーザ）が操作するキーボード及びマウス等で構成され、情報処理装置１に各種操作情報等を入力するのに用いられる。表示装置１２は、情報処理装置１の操作者が利用するディスプレイ等で構成され、各種情報（又は画面）等を表示するのに用いられる。インターフェース装置１８は、情報処理装置１をネットワーク等に接続するインターフェースである。
【００１７】
後述する情報処理装置１の機能等に係るプログラムは、例えば、ＣＤ−ＲＯＭ等の記録媒体１４によって情報処理装置１に提供されるか、ネットワーク等を通じてダウンロードされる。記録媒体１４は、記録媒体ドライブ装置１３にセットされ、プログラムが記録媒体１４から記録媒体ドライブ装置１３を介してＨＤ１９にインストールされる。なお、プログラムは、始めからＨＤ１９等にインストールされていてもよい。
【００１８】
ＲＯＭ１５は、情報処理装置１の電源投入時に最初に読み込まれるプログラム等を記録する。ＲＡＭ１６は、情報処理装置１のメインメモリである。ＣＰＵ１７は、必要に応じて、ＨＤ１９よりプログラムを読み出して、ＲＡＭ１６に格納し、プログラムを実行することで、後述する機能の全て又は一部を提供する。また、ＨＤ１９は、プログラム以外に、例えば後述するＤＢ（ＤａｔａＢａｓｅ）等を格納する。
【００１９】
なお、申請者側の情報処理装置も、インストールされているプログラムは異なるが、そのハードウェア構成は、図１に示したような構成である。
【００２０】
以下、ＣＰＵ１７、ＲＡＭ１６、ＨＤ１９及びプログラム等から構成される、情報処理装置１の機能構成の一例を図２に示す。図２は、情報処理装置１の一例の機能構成図である。図２に示されるように、情報処理装置１は、機能構成として、定義ファイル作成部２１と、テーブル作成部２２と、データ取得部２３と、代入部２４と、を含む。
【００２１】
定義ファイル作成部２１は、入力装置１１等を用いたユーザ操作情報に基づいて、表計算ソフトウェアのセルに関するデータの取得に係る定義情報（定義ファイル）を作成する。より具体的に説明すると、まず、定義ファイル作成部２１は、図３に示されるような表計算ソフトウェアで作成された書類のフォームデータ（フォームデータファイル）を読み込む。図３は、フォームデータの一例を示す図である。
ユーザは、表示装置１２に表示された図３に示されるようなフォームデータを見ながら、データ取得に係るセルを選択し、データの属性情報（例えば、項目名や、データ型、桁数等）を決定する。定義ファイル作成部２１は、選択されたセルの位置情報や、決定された属性情報を取得し、定義ファイルを作成し、フォームデータを識別する情報と共に、ＨＤ１９等に格納する。
【００２２】
テーブル作成部２２は、定義ファイル作成部２１が作成した定義ファイルに基づいて、データを代入するテーブルを作成する。より具体的に説明すると、テーブル作成部２２は、定義ファイルに記述されている属性情報（例えば、項目名や、データ型、桁数）に基づいて、前記セルに入力されるデータを格納するテーブルを動的に作成する。
【００２３】
ここで、行政側は、上述したように定義ファイルを作成したフォームデータ（申請書フォームデータ）を記録媒体１４に記録して、申請者側に渡したり、ＨＤ１９等に格納したりして、申請者側の情報処理装置からダウンロード可能にしたりする。
【００２４】
申請者は、取得した申請書フォームデータを表計算ソフトウェアで読み込み、図４に示されるように、必要な情報（例えば、申請者や、委任先、連絡先等）を書き込む。図４は、申請書フォームデータに必要な情報を入力した一例を示す図である。
【００２５】
申請者は、図４に示すように必要な情報を入力し、例えば、ファイル形式で、記録媒体等に保存し、保存したデータ（申請書データ）を行政側に提出する。
【００２６】
再び、図２の説明に戻り、データ取得部２３は、図４に示すような情報を入力された申請書データを受け取ると、この申請書データに係るフォームデータ（申請書フォームデータ）を識別する情報に基づいて、定義ファイル作成部２１が作成した定義ファイルをＨＤ１９等より取得する。そして、データ取得部２３は、取得した定義ファイルに記述されているセルの位置情報に基づいて、対応するセルに入力されたデータを申請書データより取得する。つまり、データ取得部２３は、申請者や、委任先、連絡先等の情報を、申請書データより取得する。
【００２７】
代入部２４は、データ取得部２３が取得したデータを、テーブル作成部２２が作成したテーブルに代入する。
【００２８】
以上、上述したように、本実施形態によれば、行政側は、申請者より申請された書類に係るデータを手動で入力する必要がない。また、情報処理装置１が、データを格納するテーブルを自動で作成し、また、このテーブルに、書類に係るデータを自動で代入する。そのため、行政側は、申請された書類に係るデータを簡便に管理することができる。
【００２９】
＜実施形態２＞
図５は、行政側の情報処理装置２の一例のハードウェア構成図である。
図５に示されるように、本実施形態の情報処理装置２は、実施形態１の図１に示した情報処理装置１のハードウェア構成に加えて、ＱＲコード読み取り装置２０が更に含まれている。
【００３０】
ＱＲコード読み取り装置２０は、後述する図７に示されるように、必要な情報（例えば、申請者や、委任先、連絡先等）が書き込まれた、印字出力された申請書に付加されているＱＲコードを読み取る。なお、本実施形態では、印字出力された申請書にＱＲコードが付加されているものとして説明を行うが、ＱＲコードは、申請書とは別の紙に印字出力されてもよい。そして、ＱＲコード読み取り装置２０は、この別紙に印字出力されたＱＲコードを読み取るようにしてもよい。
【００３１】
なお、本実施形態における申請者側の情報処理装置は、インストールされているプログラムは異なるが、そのハードウェア構成は、実施形態１の図１に示したような構成である。但し、本実施形態における申請者側の情報処理装置は、ネットワーク等を介して、プリンタ等の印刷装置と接続されているものとする。
【００３２】
以下、ＣＰＵ１７、ＲＡＭ１６、ＨＤ１９、ＱＲコード読み取り装置２０及びプログラム等から構成される、情報処理装置２の機能構成の一例を図６に示す。図６は、実施形態２における情報処理装置２の一例の機能構成図である。図６に示されるように、情報処理装置２は、機能構成として、定義ファイル作成部３１と、テーブル作成部３２と、データ出力部３３と、代入部３４と、を含む。
【００３３】
定義ファイル作成部３１は、入力装置１１等を用いたユーザ操作情報に基づいて、表計算ソフトウェアのセルに関するデータのコード情報化に係る定義情報（定義ファイル）を作成する。より具体的に説明すると、まず、定義ファイル作成部３１は、実施形態１の図３に示したような表計算ソフトウェアで作成された書類のフォームデータを読み込む。
【００３４】
ユーザは、表示装置１２に表示された図３に示されるようなフォームデータを見ながら、データ取得に係るセルを選択し、データの属性情報（例えば、項目名や、データ型、桁数等）を決定する。定義ファイル作成部２１は、選択されたセルの位置情報や、決定された属性情報を取得し、定義ファイルを作成し、フォームデータを識別する情報と共に、ＨＤ１９等に格納する。
【００３５】
テーブル作成部３２は、定義ファイル作成部３１が作成した定義ファイルに基づいて、データを代入するテーブルを作成する。より具体的に説明すると、テーブル作成部３２は、定義ファイルに記述されている属性情報（例えば、項目名や、データ型、桁数）に基づいて、前記セルに入力されるデータを格納するテーブルを動的に作成する。
【００３６】
ここで、行政側は、上述したように定義ファイルを作成したフォームデータ（申請書フォームデータ）と、定義ファイルと、を例えば１つのデータ（又はファイル）として、記録媒体１４に記録して、申請者側に渡したり、ＨＤ１９等に格納したりして、申請者側の情報処理装置からダウンロード可能にしたりする。なお、情報処理装置２は、フォームデータと、定義ファイルとを１つのデータ（又はファイル）とするのではなく、フォームデータと、定義ファイルに含まれるコード情報化に係るセルの位置情報と、を１つのデータ（又はファイル）とするようにしてもよい。
【００３７】
なお、以下では説明の簡略化のため、行政側は、フォームデータと、コード情報化に係るセルの位置情報と、を１つのデータとして、申請者側に提供するものとする。また、本実施形態では、以下、フォームデータと、コード情報化に係るセルの位置情報と、を１つのデータとしたものを申請書データという。
【００３８】
申請者は、取得した申請書データを、ソフトウェアで読み込み、実施形態１の図４に示したように、必要な情報（例えば、申請者や、委任先、連絡先等）を書き込む。
【００３９】
申請者は、実施形態１の図４に示したように、必要な情報を入力し、ネットワークを介して、申請者側の情報処理装置と接続されたプリンタ等の印刷装置に申請書を印字出力させる。この際、申請者側の情報処理装置のソフトウェアは、申請書データに含まれるコード情報化に係るセルの位置情報に応じて、前記セルに入力された情報をＱＲコードとして印字出力するよう、前記印刷装置を制御する。
図７は、印刷装置において印字出力された申請書の一例を示す図である。申請者は、図７に示されるような申請書を行政側に提出する。
【００４０】
再び、図６の説明に戻り、データ出力部３３は、ＱＲコード読み取り装置２０より、読み取ったＱＲコードの情報、つまり、指定されたセルに入力された情報を取得し、出力する。
【００４１】
代入部３４は、データ出力部３３が出力したデータを、テーブル作成部３２が作成したテーブルに代入する。
【００４２】
以上、上述したように、本実施形態によれば、行政側は、申請者より申請された書類に係るデータを手動で入力する必要がない。また、情報処理装置２が、データを格納するテーブルを自動で作成し、また、ＱＲコードを読み取ることによって、書類に係るデータを取得し、作成したテーブルに、自動で代入する。そのため、行政側は、申請された書類に係るデータを簡便に管理することができる。
また、本実施形態では、書類に係るデータをＱＲコード化し、申請者側から行政側に提出するため、例えば、表計算ソフトウェアに係るウィルス感染等の心配はない。
なお、本実施形態では、コード情報の一例として、ＱＲコードを用いて説明を行ったが、他のコード（例えば、ＰＤＦ４１７や、Ｄａｔａ  Ｍａｔｒｉｘ、Ｍａｘｉ  Ｃｏｄｅ等）を用いてもよい。以下の実施形態においても同様である。
【００４３】
＜実施形態３＞
図８は、実施形態３における行政側の情報処理装置２の一例の機能構成図である。情報処理装置２の機能は、ＣＰＵ１７、ＲＡＭ１６、ＨＤ１９、ＱＲコード読み取り装置２０及びプログラム等から構成される。なお、本実施形態における行政側の情報処理装置２のハードウェア構成は、実施形態２と同様である。また、本実施形態における申請者側の情報処理装置は、インストールされているプログラムは異なるが、そのハードウェア構成は、実施形態１の図１に示したような構成である。本実施形態における申請者側の情報処理装置も、ネットワーク等を介して、プリンタ等の印刷装置と接続されているものとする。
【００４４】
図８に示されるように、情報処理装置２は、機能構成として、定義ファイル作成部４１と、テーブル作成部４２と、データ入力画面フォーム作成部４３と、データ出力部４４と、代入部４５と、を含む。
【００４５】
定義ファイル作成部４１は、入力装置１１等を用いたユーザ操作情報と、表計算ソフトウェアのフォームデータと、に基づいて、データ入力画面に係る定義情報（定義ファイル）を作成する。より具体的に説明すると、まず、定義ファイル作成部４１は、表計算ソフトウェアのフォームデータ（本実施形態では、セルが並んだシート）を読み込む。
【００４６】
ユーザは、表示装置１２に表示されたフォームデータに対して、入力装置１１等を用いて、データ入力画面に係る項目（例えば、後述する図９の例では、申請年月日や、申請者の区分、業者コード、商号又は名称、フリガナ、代表者名、フリガナ、委任先氏名、フリガナ等）を記述し、各項目の属性情報を定義する。ここで、各項目の属性情報とは、例えば、各項目に対するデータの入力方法（手入力か、選択か、コピーか等）や、入力データの種類（文字か、数字か、英数字か、日付か等）、入力文字数、項目名、項目のセル範囲、コード情報化に係るセルの位置情報等である。なお、項目に入力等される情報は、全てコード情報化する場合は、このコード情報化に係るセルの位置情報を、属性情報に含めなくてもよい。
【００４７】
定義ファイル作成部４１は、記述された項目や、定義された属性情報を取得し、定義ファイルを作成し、各項目が設定されたフォームデータを識別する情報と共に、ＨＤ１９等に格納する。
【００４８】
テーブル作成部４２は、定義ファイル作成部４１が作成した定義ファイルに基づいて、データを代入するテーブルを作成する。より具体的に説明すると、テーブル作成部４２は、定義ファイルに記述されている属性情報（例えば、項目名や、データの種類、入力文字数等）に基づいて、前記セルに入力されるデータを格納するテーブルを動的に作成する。
【００４９】
データ入力画面フォーム作成部４３は、各項目が設定されたフォームデータと、定義ファイル作成部４１が作成した定義ファイルと、に基づいて、後述する図９に示されるようなデータ入力画面を作成する基となるデータ入力画面フォームを作成する。
【００５０】
ここで、行政側は、データ入力画面フォームを記録媒体１４に記録して、申請者側に渡したり、ＨＤ１９等に格納したりして、申請者側の情報処理装置からダウンロード可能にしたりする。
【００５１】
申請者は、取得したデータ入力画面フォームを、ソフトウェアで読み込み、図９に示されるようなデータ入力画面を表示させ、データ入力画面を用いて、必要な情報を入力（又は選択）する。図９は、データ入力画面の一例を示す図である。
【００５２】
申請者は、データ入力画面を用いて、必要な情報を入力（又は選択）し、申請者側の情報処理装置と接続されたプリンタ等の印刷装置に申請書を印字出力させる。この際、申請者側の情報処理装置のソフトウェアは、申請書データに含まれるコード情報化に係るセルの位置情報等に応じて、前記セルに入力された情報をＱＲコードとして印字出力するよう、前記印刷装置を制御する。
そして、申請者は、前記印刷装置において印字出力された申請書を行政側に提出する。
【００５３】
再び、図８の説明に戻り、データ出力部４４は、ＱＲコード読み取り装置２０より、読み取ったＱＲコードの情報、つまり、指定されたセルに入力された情報を取得し、出力する。
【００５４】
代入部４５は、データ出力部４４が出力したデータを、テーブル作成部４２が作成したテーブルに代入する。
【００５５】
以上、上述したように、本実施形態によれば、行政側は、申請者より申請された書類に係るデータを手動で入力する必要がない。また、情報処理装置２が、データを格納するテーブルを自動で作成し、また、ＱＲコードを読み取ることによって、書類に係るデータを取得し、作成したテーブルに、自動で代入する。そのため、行政側は、申請された書類に係るデータを簡便に管理することができる。
また、本実施形態では、書類に係るデータをＱＲコード化し、申請者側から行政側に提出するため、例えば、表計算ソフトウェアに係るウィルス感染等の心配はない。
また、本実施形態では、図４に示されるような表計算ソフトウェア上でのＵＩに比べて、図９に示されるように、申請者にとって、分かりやすいＵＩを提供することができる。また、図９に示されるようなデータ入力画面（及び定義ファイルに含まれる属性情報）を用いることによって、誤ったデータが入力されるのを防ぐことができる。
【００５６】
例えば、申請者側の情報処理装置は、定義ファイルに含まれる属性情報等に基づいて、文字列が設定されている項目に、数字や日付が入力された場合、文字列を代入するよう、申請者に注意を促す画面等を表示し、誤ったデータが入力されるのを防ぐことができる。
【００５７】
なお、上述した実施形態では、テーブル作成部は、定義ファイル等に基づいて、テーブルを作成するよう説明を行ったが、テーブル作成部は、データをテーブルに代入する処理要求（例えば、クエリー等）を作成するようにしてもよい。そして、代入部は、データを、テーブル作成部が作成したテーブルに、テーブル作成部が作成した処理要求を用いて、代入するようにしてもよい。
【００５８】
以上、上述した各実施形態によれば、書類等に記載されている（又は書類等に係る）情報をデータ化し、簡便に管理することができる。
【００５９】
以上、本発明の好ましい実施形態について詳述したが、本発明は係る特定の実施形態に限定されるものではなく、特許請求の範囲に記載された本発明の要旨の範囲内において、種々の変形・変更が可能である。
例えば、上述した実施形態では、行政側と、申請者側との例を用いて説明を行ったが、本発明はこれに限定されるものではない。
【図面の簡単な説明】
【００６０】
【図１】行政側の情報処理装置１の一例のハードウェア構成図である。
【図２】情報処理装置１の一例の機能構成図である。
【図３】フォームデータの一例を示す図である。
【図４】申請書フォームデータに必要な情報を入力した一例を示す図である。
【図５】行政側の情報処理装置２の一例のハードウェア構成図である。
【図６】実施形態２における情報処理装置２の一例の機能構成図である。
【図７】印刷装置において印字出力された申請書の一例を示す図である。
【図８】実施形態３における行政側の情報処理装置２の一例の機能構成図である。
【図９】データ入力画面の一例を示す図である。
【符号の説明】
【００６１】
１    情報処理装置
２    情報処理装置
１１  入力装置
１２  表示装置
１３  記録媒体ドライブ装置
１４  記録媒体
１５  ＲＯＭ
１６  ＲＡＭ
１７  ＣＰＵ
１８  インターフェース装置
１９  ＨＤ
２０  ＱＲコード読み取り装置
２１  定義ファイル作成部
２２  テーブル作成部
２３  データ取得部
２４  代入部
３１  定義ファイル作成部
３２  テーブル作成部
３３  データ出力部
３４  代入部
４１  定義ファイル作成部
４２  テーブル作成部
４３  データ入力画面フォーム作成部
４４  データ出力部
４５  代入部
【図１】
2008102858.tif 000003
【図２】
2008102858.tif 000004
【図３】
2008102858.tif 000005
【図４】
2008102858.tif 000006
【図５】
2008102858.tif 000007
【図６】
2008102858.tif 000008
【図７】
2008102858.tif 000009
【図８】
2008102858.tif 000010
【図９】
2008102858.tif 000011